(57)【要約】【課題】容易に製造することができ、使用時に吐出口の周囲に内容物が付着することのない雄コネクタを提供する。【解決手段】雄コネクタ１は、液体収容体に取り付けられる接合部１ａと、雌コネクタと係合する台座部１ｂと有し、接合部１ａと台座部１ｂとを貫通し、液体収容体に収容された液体が流れる貫通孔１ｆが設けられている。貫通孔１ｆの台座部１ｂ側の端部から突出し、貫通孔１ｆの台座部１ｂ側の開口を閉塞する閉塞部１ｈが、接合部１ａ及び台座部１ｂと一体成形され、閉塞部１ｈが貫通孔１ｆの縁から破断して分離することによって、貫通孔１ｆの台座部１ｂ側の開口から液体収容体に収容された液体が吐出可能になる。【選択図】図１
2014233593.tif 000002
【特許請求の範囲】
【請求項１】
液体収容体に取り付けられる接合部と、チューブに接続される雌コネクタと係合する台座部と有し、前記接合部と前記台座部とを貫通し、前記液体収容体に収容された液体が流れる貫通孔が設けられた雄コネクタであって、
前記貫通孔の前記台座部側の端部から突出し、前記貫通孔の前記台座部側の開口を閉塞する閉塞部が、前記接合部及び前記台座部と一体成形され、
前記閉塞部は、前記貫通孔の縁から破断して分離可能であることを特徴とする雄コネクタ。
【請求項２】
請求項１に記載の雄コネクタであって、
前記貫通孔の前記台座部側の開口の端部に、該開口の径方向内方に突出するリブ部を有し、
前記閉塞部は、前記貫通孔の縁及び前記リブ部の縁から破断して分離可能であることを特徴とする雄コネクタ。
【請求項３】
請求項１又は請求項２に記載の雄コネクタであって、
前記閉塞部は、前記台座部側とは反対側の面に、前記接合部とは反対方向に突出した把持部を有することを特徴とする雄コネクタ。
【請求項４】
請求項１〜請求項３のいずれか１項に記載の雄コネクタであって、
前記液体収容体に収容されている液体は、経腸栄養剤又は輸液のいずれか一方であり、
前記雌コネクタに接続されているチューブは、前記経腸栄養剤を患者に送るための医療用チューブ又は前記輸液を患者に送るための医療用輸液ラインのいずれか一方であって、
前記医療用チューブ又は前記医療用輸液ラインのいずれか他方に接続されている雌コネクタが係合不能な形状に形成されていることを特徴とする雄コネクタ。
【発明の詳細な説明】
【技術分野】
【０００１】
本発明は、液体収容体に取り付けられ、チューブに取り付けられた雌コネクタと接続する雄コネクタに関する。
【背景技術】
【０００２】
従来、食事等を口から摂取できない場合の療法として、患者の腹部に形成された胃ろうにチューブを挿入し、そのチューブを介して、ボトルやバッグ等の液体収容体に収容された栄養剤、流動食、薬剤等といった経腸栄養剤を患者に投与する経腸栄養療法が知られている。
【０００３】
また、従来、患者の静脈に輸液ラインを挿入し、その輸液ラインを介して、ブドウ糖等の栄養成分や薬剤成分を含む輸液を患者に投与する静脈栄養療法も知られている。
【０００４】
そのような療法に用いられている液体収容体や、その液体収容体とチューブや輸液ライン等とを接続するためのコネクタ等は、洗浄、消毒、経腸栄養剤や輸液の再充填を行い、再使用される場合がある。
【０００５】
しかし、近年では感染防止の観点から、経腸栄養剤や輸液が充填されていて、雄コネクタ（例えば、特許文献１参照）が取り付けられている使い捨てのプレフィルド型の雄コネクタ付き液体収容体が普及しつつある。
【０００６】
プレフィルド型の雄コネクタ付き液体収容体では、経腸栄養剤や輸液が充填された後、密閉をする必要がある。その密閉のための方法としては、雄コネクタに設けられた経腸栄養剤や輸液の吐出口アルミ薄膜や樹脂膜等のシール材を張り付ける方法や、吐出口を覆うようなキャップ部材を取り付ける方法がある。
【先行技術文献】
【特許文献】
【０００７】
【特許文献１】特開２０１２−１５２４１８号公報
【発明の概要】
【発明が解決しようとする課題】
【０００８】
しかし、いずれの方法も、製造工程が増えて複雑になり、また、製造コストが増加してしまうという問題があった。
【０００９】
また、キャップ部材を取り付ける方法では、キャップ部材を取り外したときに吐出口の周辺に内容物が付着していることがあるという問題があった。
【００１０】
本発明は以上の点に鑑みてなされたものであり、容易に製造することができ、使用時に吐出口の周囲に内容物が付着することのない雄コネクタを備えたコネクタを提供することを目的とする。
【課題を解決するための手段】
【００１１】
本発明の雄コネクタは、液体収容体に取り付けられる接合部と、チューブに接続される雌コネクタと係合する台座部と有し、接合部と台座部とを貫通し、液体収容体に収容された液体が流れる貫通孔が設けられた雄コネクタであって、貫通孔の台座部側の端部から突出し、貫通孔の台座部側の開口を閉塞する閉塞部が、接合部及び台座部と一体成形され、閉塞部は、貫通孔の縁から破断して分離可能であることを特徴とする。
【００１２】
本発明によれば、雄コネクタの閉塞部が、雄コネクタの他の部位と一体成形されているので、雄コネクタの形成と同時に貫通孔が閉塞された状態になっている。
【００１３】
そのため、貫通孔の閉塞を行うために雄コネクタに対してキャップ部材の取り付けやシール材の貼り付けを行うといった特別の工程が必要ではなくなり、製造工程や材料を減らすことができる。また、その結果、製造コストを抑えることもできる。
【００１４】
また、使用する直前に閉塞部を破断して分離する構成であるので、使用時に貫通孔の台座部側の開口、すなわち、吐出口の周囲に内容物が付着している状態となっていることを防止することができる。
【００１５】
また、本発明の雄コネクタにおいては、貫通孔の台座部側の開口の端部に、開口の径方向内方に突出したリブ部を有する場合には、閉塞部は、貫通孔の縁及びリブ部の縁から破断して分離可能であるように構成すれば良い。
【００１６】
また、本発明の雄コネクタにおいては、閉塞部は、台座部側とは反対側の面に、接合部とは反対方向に突出する把持部を有することが好ましい。
【００１７】
閉塞部がこのような把持部を有していれば、使用者がその把持部をつまむことによって、把持部を介して閉塞部と接合部との接続部分に力を加えることができるので、閉塞部の破断・分離を容易に行うことができる。
【００１８】
そして、本発明の雄コネクタは、液体収容体に収容されている液体は、経腸栄養剤又は輸液のいずれか一方であり、雌コネクタに接続されているチューブは、経腸栄養剤を患者に送るための医療用チューブ又は輸液を患者に送るための医療用輸液ラインのいずれか一方であって、医療用チューブ又は医療用輸液ラインのいずれか他方に接続されている雌コネクタが係合不能な形状に形成されていることが好ましい。
【００１９】
当該構成により、経腸栄養剤と輸液との誤接続を防止することができる。ここで、係合不能な形状とは、雄コネクタ及び雌コネクタの接続部分の大きさを変えて係合不能とする場合と、雄コネクタ及び雌コネクタの接続部分の形状を異にして係合不能とする場合がある。
【図面の簡単な説明】
【００２０】
【図１】本発明の第１実施形態の雄コネクタ及びプロテクターを示す斜視図であり、（ａ）は閉塞部の破断・分離前の状態、（ｂ）は閉塞部の破断・分離後の状態である。
【図２】図１の雄コネクタの正面図。
【図３】図２の雄コネクタのＡ−Ａ線断面図。
【図４】本発明の第２実施形態の雄コネクタ及びプロテクターを示す斜視図であり、（ａ）は閉塞部の破断・分離前の状態、（ｂ）は閉塞部の破断・分離後の状態である。
【図５】図４の雄コネクタの正面図。
【図６】図５の雄コネクタのＢ−Ｂ線断面図。
【発明を実施するための形態】
【００２１】
［第１実施形態］
以下、図１〜図３を参照して、本発明の雄コネクタの第１実施形態を説明する。
【００２２】
まず、本実施形態の雄コネクタ１の構成について説明する。
【００２３】
雄コネクタ１は、接合部１ａと、台座部１ｂと、接合部１ａと台座部１ｂとの間に形成されている天板部１ｃとにより構成されている。
【００２４】
接合部１ａには、経腸栄養剤や輸液といった液体が収容された液体収容体であるバッグやボトルが接合される。
【００２５】
台座部１ｂには、経腸栄養療法に用いられる医療用チューブや静脈栄養療法に用いられる輸液ラインといったチューブに接続される不図示の雌コネクタが接続される。そのため、台座部１ｂには、一対の係合爪１ｄが形成されている。また、図２に示すように、台座部１ｂの中央部には、テーパ部１ｅが形成されている。
【００２６】
係合爪１ｄは、台座部１ｂの端部の周縁から径方向に張り出すように形成されており、不図示の雌コネクタに形成されている係合溝に係合する。
【００２７】
また、テーパ部１ｅは、台座部１ｂから接合部１ａとは反対側の方向に突出した円筒形状であり、その外周面には、雌コネクタに形成されているテーパ面に対応するように、台座部１ｂ方向に向かって縮径する部分が形成されている。
【００２８】
そして、接合部１ａ、台座部１ｂ及び天板部１ｃには、それらを貫通するようにして、それらの中央に貫通孔１ｆが形成されている。
【００２９】
貫通孔１ｆの台座部１ｂ側の開口は、テーパ部１ｅの中央に形成されている。その開口端には、十字形状のリブ部１ｇが形成されている。
【００３０】
そして、貫通孔１ｆ、より具体的には、貫通孔１ｆとリブ部１ｇとによって画成される開口を閉塞するように形成された閉塞部１ｈが、貫通孔１ｆの台座部１ｂ側の端部から、接合部１ａとは反対方向に突出するようにして形成されている。閉塞部１ｈは、台座部１ｂ側とは反対側の面に、接合部１ａとは反対方向に突出した把持部１ｉを有している。
【００３１】
貫通孔１ｆ及びリブ部１ｇと閉塞部１ｈは、図３に示すように、それらの間に形成されている薄肉部１ｊを介して接続されている。
【００３２】
このように形成された雄コネクタ１は、ポリプロピレン（ＰＰ）やポリエチレン（ＰＥ）といった樹脂材料を用いて、一体成形される。
【００３３】
なお、この雄コネクタ１には、製造後、プロテクター２が取り付けられることがある。このプロテクター２は、雄コネクタ１が液体収容体に接合されて製造されたプレフィルド型の雄コネクタ付き液体収容体が搬送等されるときに、閉塞部１ｈが意図していない破断・分離をしてしまうことを防止するために取り付けられるものである。
【００３４】
次に、本実施形態の雄コネクタ１の台座部１ｂと閉塞部１ｈとの破断・分離、すなわち、開封作業について説明する。
【００３５】
雄コネクタ１は、製造された状態では、閉塞部１ｈによって、貫通孔１ｆが閉塞されている（図１（ａ）参照）。そして、このような状態の雄コネクタ１は、接合部１ａを介して、液体を収容している液体収容体に接続され、その液体収容体を密閉する。
【００３６】
そして、使用時、すなわち、対応する雌コネクタに雄コネクタ１を係合させる際には、把持部１ｉを介して閉塞部１ｈに貫通孔１ｆの中心軸線周りの力を加えれば、閉塞部１ｈ、より具体的には、閉塞部１ｈの縁の薄肉部１ｊが貫通孔１ｆの縁及びリブ部１ｇの縁から捩じ切られて破断し、貫通孔１ｆが開口する。これにより、雄コネクタ１は雌コネクタに係合可能な状態（図１（ｂ）参照）になる。
【００３７】
このようにして開封作業が行われた後は、貫通孔１ｆは液体収容体に収容された液体の流路になり、貫通孔１ｆの台座部１ｂ側の開口からはその液体が吐出可能になる。
【００３８】
なお、閉塞部１ｈと把持部１ｉとを保護するプロテクター２に、閉塞部１ｈ及び把持部１ｉが嵌合する穴部と、テーパ部１ｅに回転可能に係合する係合部とを形成し、プロテクター２を取付けた状態で、プロテクター２ごと閉塞部１ｈと把持部１ｉに力を加えることによって、開封作業を行うことができるようにしてもよい。
【００３９】
また、閉塞部１ｈに加える力としては、捩じ切るような方向の力に限られるものではなく、閉塞部１ｈを台座部１ｂから切り離すことができるような方向の力であれば、どのような方向の力でもかまわない。
【００４０】
本実施形態の雄コネクタ１は、閉塞部１ｈが、雄コネクタ１の他の部位と一体成形されているので、雄コネクタ１の形成と同時に貫通孔１ｆが閉塞された状態になっている。
【００４１】
そのため、貫通孔１ｆの閉塞を行うために雄コネクタ１に対してアルミ薄膜や樹脂薄膜等のシール材の貼り付けを行うといった特別の工程が必要ではなくなり、製造工程や材料を減らすことができる。また、その結果、製造コストを抑えることもできる。
【００４２】
また、本実施形態の雄コネクタ１は、閉塞部１ｈが把持部１ｉを有しているので、閉塞部１ｈを貫通孔１ｆやリブ部１ｇから破断・分離させるための必要な力を、使用者が容易に閉塞部１ｈに加えることができる。
［第２実施形態］
以下、図４〜図５を参照して、本発明の雄コネクタの第２実施形態を説明する。ただし、本実施形態の雄コネクタは、リブ部、閉塞部及び把持部の構成を除き、第１実施形態の雄コネクタと同様の構成であるので、それら以外の部材については同じ符号を付すとともに、詳細な説明は省略する。
【００４３】
本実施形態の雄コネクタ１０においては、貫通孔１ｆの台座部１ｂ側の開口は、テーパ部１ｅの中央に形成されている。その開口端には、十字形状の開口を有するリブ部１０ｇが形成されている。
【００４４】
そして、貫通孔１ｆ、より具体的には、貫通孔１ｆとリブ部１０ｇとによって画成される開口を閉塞するように形成された閉塞部１０ｈが、貫通孔１ｆの台座部１ｂ側の端部から、接合部１ａとは反対方向に突出するようにして形成されている。
【００４５】
閉塞部１０ｈは、使用者が指でつまむことができる程度の長さを有しており、第１実施形態の雄コネクタ１が備えている把持部１ｉと同様に、開封作業時に把持する部位としての役割も兼ねている。
【００４６】
このように構成された本実施形態の雄コネクタ１０も、上記の第１実施形態の雄コネクタ１と同様の効果を奏する。
【００４７】
以上、図示の実施形態について説明したが、本発明はこのような形態に限られるものではない。
【００４８】
上記各実施形態では、液体収容体に収容されている液体が経腸栄養剤である場合と輸液である場合とを併せて説明した。
【００４９】
しかし、液体収容体に収容されている液体が経腸栄養剤である場合には、雄コネクタ１，１０を、経腸栄養剤を患者に送るための医療用チューブに接続された雌コネクタのみが係合可能な形状とすることが好ましい。
【００５０】
逆に、液体収容体に収容されている液体が輸液である場合には、雄コネクタ１，１０を、輸液を患者に送るための医療用輸液ラインに接続された雌コネクタのみが係合可能な形状とすることが好ましい。
【００５１】
雄コネクタ１，１０をこのように構成すれば、経腸栄養剤と輸液との誤接続を防止することができる。ここで、係合不能な形状とは、雄コネクタ及び雌コネクタの接続部分の大きさを変えて係合不能とする場合と、雄コネクタ及び雌コネクタの接続部分の形状を異にして係合不能とする場合のいずれもが含まれる。
【００５２】
上記実施形態では、雄コネクタ１，１０がリブ部１ｇ，１０ｇを有しているが、本発明の雄コネクタはそのような形態に限られるものではなく、雄コネクタがリブ部を有していなくてもよい。
【００５３】
また、上記実施形態では、リブ部１ｇ，１０ｇを貫通孔１ｆの開口端に形成している。しかし、本発明の雄コネクタのリブ部は、貫通孔の開口端部に形成されていればよく、例えば、貫通孔の開口端から間隔を存した位置に形成するようにしてもよい。
【００５４】
また、上記実施形態のうち、第１実施形態ではリブ部１ｇの形状を貫通孔１ｆを四分割する十字形状にし、第２実施形態では十字状の溝が形成された円形状にしている。しかし、本発明の雄コネクタのリブ部の形状は、例えば、リブ部の形状を貫通孔を三分割するような形状にしてもよい。
【００５５】
また、上記第１実施形態では、閉塞部１ｈが把持部１ｉを有しているが、本発明の雄コネクタはそのような形態に限られるものではなく、閉塞部１ｈが把持部１ｉを有していなくてもよい。
【００５６】
また、上記実施形態では、閉塞部１ｈ，１０ｈと貫通孔１ｆ及びリブ部１ｇ，１０ｇとの間に、薄肉部１ｊを形成している。しかし、本発明の雄コネクタの閉塞部と貫通孔及びリブ部とは、使用者が閉塞部に力を加えることによって、閉塞部と貫通孔の縁及びリブ部の縁との分離・破断ができるようなものであればよい。
【００５７】
また、上記実施形態のうち、第１実施形態の雄コネクタ１においてのみプロテクター２を用いても開封作業ができることを説明したが、第２実施形態の雄コネクタ１０においてもプロテクターを用いて開封作業ができることは言うまでもない。
【符号の説明】
【００５８】
１，１０…雄コネクタ、１ａ…接合部、１ｂ，１０ｂ…台座部、１ｃ…天板部、１ｄ…係合爪、１ｅ…テーパ部、１ｆ…貫通孔、１ｇ，１０ｇ…リブ部、１ｈ，１０ｈ…閉塞部、１ｉ…把持部、１ｊ…薄肉部、２…プロテクター。
【図１】
2014233593.tif 000003
【図２】
2014233593.tif 000004
【図３】
2014233593.tif 000005
【図４】
2014233593.tif 000006
【図５】
2014233593.tif 000007
【図６】
2014233593.tif 000008